(57)【要約】【課題】ケースの大型化を避け、発電能力を向上させつつ、干渉縞が見え難いように調整可能なソーラーセル付電子時計を提供することを目的とする。【解決手段】ソーラーセル付電子時計は、上内側面４０、下内側面４２、上外側面４４及び下外側面４６を含む見返しリング３８と、上外側面４４及び下外側面４６をそれぞれ覆って見返しリング３８の内部に光を封じ込めるフルミラー層５４と、下内側面４２から出射する光を受光するために下内側面４２に対向して配置されたソーラーセル３２と、文字板２０の表面から間隔をあけて位置して見返しリング３８の上端部と対向するように周縁部が配置される風防１２と、を有する。見返しリング３８の風防１２に対向する領域は、風防１２に接触する接触部５２及び風防１２から離間する非接触部５０の両方を含む。【選択図】図２
2015137971.tif 000002
【特許請求の範囲】
【請求項１】
文字板と、
前記文字板を内側に収容する光透過性の見返しリングであって、前記文字板の表面を囲むように立ち上がる上内側面と、前記文字板の裏面を囲むように下がる下内側面と、前記上内側面とは反対側にあって法線が前記文字板の側で下がるように傾斜する上外側面と、前記下内側面とは反対側にあって法線が前記文字板の側で上がるように傾斜する下外側面と、を含む見返しリングと、
前記上外側面及び前記下外側面をそれぞれ覆って、前記見返しリングの内部に光を封じ込めるフルミラー層と、
前記下内側面から出射する光を受光するために、前記下内側面に対向して配置されたソーラーセルと、
前記文字板の前記表面から間隔をあけて位置し、前記見返しリングの上端部と対向するように周縁部が配置される風防と、
を有し、
前記見返しリングの前記風防に対向する領域は、前記風防に接触する接触部及び前記風防から離間する非接触部の両方を含むことを特徴とするソーラーセル付電子時計。
【請求項２】
請求項１に記載されたソーラーセル付電子時計において、
前記見返しリングの前記上端部と前記風防の前記周縁部の少なくとも一方は、凹部を含む表面形状になっており、
前記凹部の底面が前記非接触部であることを特徴とするソーラーセル付電子時計。
【請求項３】
請求項２に記載されたソーラーセル付電子時計において、
前記凹部は溝であることを特徴とするソーラーセル付電子時計。
【請求項４】
請求項１に記載されたソーラーセル付電子時計において、
前記見返しリングの前記上端部は、前記上内側面から前記上外側面の方向に下がる上端面を有し、
前記上端面の前記上内側面側の縁部が前記接触部であることを特徴とするソーラーセル付電子時計。
【請求項５】
請求項１に記載されたソーラーセル付電子時計において、
前記見返しリングの前記上端部は、前記風防に直交する直線を中心にして前記直線と交わらずに前記直線を含む平面で前記風防の方向に凸となるように描かれる弧を回転させて得られる形状からなることを特徴とするソーラーセル付電子時計。
【請求項６】
請求項１に記載されたソーラーセル付電子時計において、
前記見返しリングの前記上端部は、目盛リングを構成するように複数の凸部を有し、
前記複数の凸部のそれぞれが前記接触部であることを特徴とするソーラーセル付電子時計。
【請求項７】
請求項１から６のいずれか１項に記載されたソーラーセル付電子時計において、
前記見返しリングの前記上端部と前記風防の前記周縁部は、点接触又は線接触していることを特徴とするソーラーセル付電子時計。
【発明の詳細な説明】
【技術分野】
【０００１】
本発明は、ソーラーセル付電子時計に関する。
【背景技術】
【０００２】
近年、電子時計には、クロノグラフ機能や電波受信機能などの消費電力の高い機能が求められている。時計の駆動に必要な電力を太陽電池で発電するソーラーセル付電子時計にも同様の要求がある。ソーラーセル付電子時計は、特許文献１及び２に開示されている。
【先行技術文献】
【特許文献】
【０００３】
【特許文献１】実開昭６２−１６４９１号公報
【特許文献２】特開２００６−３１３１０３号公報
【発明の概要】
【発明が解決しようとする課題】
【０００４】
特許文献１には、文字板の下にソーラーセルを配置し、光を反射板で反射させてソーラーセルに導入する構造が開示されている。反射板は、ソーラーセルの側方に配置されているので、文字板の外側のケースが大型化してしまう。また、反射板で反射した光のうち、ソーラーセルに向かう光は発電に利用されるが、ソーラーセルから外れる光は発電に寄与しないので、発電能力に劣る。
【０００５】
特許文献２には、プリズムによって光を屈折させてソーラーセルに導入する構造が開示されている。プリズムは、内部を進行する光が反射して戻るように形成された反射面を有している。反射面で光が反射するので、ソーラーセルに入射する光量は増える。しかし、カバーガラスとプリズムとの隙間の調整が難しく、干渉縞が見えてしまうという問題があった。
【０００６】
本発明は、ケースの大型化を避け、発電能力を向上させつつ、干渉縞が見え難いように調整可能なソーラーセル付電子時計を提供することを目的とする。
【課題を解決するための手段】
【０００７】
（１）本発明に係るソーラーセル付電子時計は、文字板と、前記文字板を内側に収容する光透過性の見返しリングであって、前記文字板の表面を囲むように立ち上がる上内側面と、前記文字板の裏面を囲むように下がる下内側面と、前記上内側面とは反対側にあって法線が前記文字板の側で下がるように傾斜する上外側面と、前記下内側面とは反対側にあって法線が前記文字板の側で上がるように傾斜する下外側面と、を含む見返しリングと、前記上外側面及び前記下外側面をそれぞれ覆って、前記見返しリングの内部に光を封じ込めるフルミラー層と、前記下内側面から出射する光を受光するために、前記下内側面に対向して配置されたソーラーセルと、前記文字板の前記表面から間隔をあけて位置し、前記見返しリングの上端部と対向するように周縁部が配置される風防と、を有し、前記見返しリングの前記風防に対向する領域は、前記風防に接触する接触部及び前記風防から離間する非接触部の両方を含むことを特徴とする。本発明によれば、見返しリングに入った光をフルミラー層で反射させて、ソーラーセルに入射する光量を増やすことができる。そして、見返しリングが文字板の下に延びるので、ケースの大型化を避けることができる。また、見返しリングの一部が風防から離間するので、干渉縞が発生する領域が小さくなっている。その一方で、見返しリングの一部が風防に接触することで両者の間隔が一定に保たれるので、干渉縞が見え難いように調整することができる。
【０００８】
（２）（１）に記載されたソーラーセル付電子時計において、前記見返しリングの前記上端部と前記風防の前記周縁部の少なくとも一方は、凹部を含む表面形状になっており、前記凹部の底面が前記非接触部であることを特徴としてもよい。
【０００９】
（３）（２）に記載されたソーラーセル付電子時計において、前記凹部は溝であることを特徴としてもよい。
【００１０】
（４）（１）に記載されたソーラーセル付電子時計において、前記見返しリングの前記上端部は、前記上内側面から前記上外側面の方向に下がる上端面を有し、前記上端面の前記上内側面側の縁部が前記接触部であることを特徴としてもよい。
【００１１】
（５）（１）に記載されたソーラーセル付電子時計において、前記見返しリングの前記上端部は、前記風防に直交する直線を中心にして前記直線と交わらずに前記直線を含む平面で前記風防の方向に凸となるように描かれる弧を回転させて得られる形状からなることを特徴としてもよい。
【００１２】
（６）（１）に記載されたソーラーセル付電子時計において、前記見返しリングの前記上端部は、目盛リングを構成するように複数の凸部を有し、前記複数の凸部のそれぞれが前記接触部であることを特徴としてもよい。
【００１３】
（７）（１）から（６）のいずれか１項に記載されたソーラーセル付電子時計において、前記見返しリングの前記上端部と前記風防の前記周縁部は、点接触又は線接触していることを特徴としてもよい。
【図面の簡単な説明】
【００１４】
【図１】本発明の実施形態に係るソーラーセル付き電子時計の正面図である。
【図２】図１に示すソーラーセル付き電子時計のII−II線断面図である。
【図３】ソーラーセルを示す斜視図である。
【図４】実施形態の変形例１に係るソーラーセル付き電子時計の断面図である。
【図５】実施形態の変形例２に係るソーラーセル付き電子時計の断面図である。
【図６】実施形態の変形例３に係るソーラーセル付き電子時計の正面図である。
【図７】図６に示すソーラーセル付き電子時計のVII−VII線断面図である。
【図８】図６に示すソーラーセル付き電子時計のVIII−VIII線断面図である。
【発明を実施するための形態】
【００１５】
以下、本発明の実施形態について、図面を参照して説明する。
【００１６】
図１は、本発明の実施形態に係るソーラーセル付き電子時計の正面図である。図２は、図１に示すソーラーセル付き電子時計のII−II線断面図である。
【００１７】
ソーラーセル付き電子時計は、時計ケース１０を有する。時計ケース１０には、表側にガラスからなる風防１２が取り付けられ、裏側に金属からなる裏蓋１４が取り付けられている。時計ケース１０の側面には、外部操作部材である巻真１６が通る貫通穴（図示せず）が開口する。
【００１８】
巻真１６は、回転させることによりムーブメント１８に設けられた電気的接点をオン・オフするようになっており、これにより巻真１６の回転操作を検出することができる。もちろん、巻真１６を引き出すことにより輪列と直接接続するようにしてもよい。ムーブメント１８の上側に、時計表示部材として文字板２０及び指針２２が載っている。文字板２０の表面から間隔をあけて風防１２が位置する。ムーブメント１８の下側には、ムーブメント１８を駆動させるための回路基板２４が取り付けられている。
【００１９】
ムーブメント１８は、ドーナツ状の中枠２６に嵌め込まれている。ムーブメント１８には、回路基板２４に電気的に接続された接続バネ２８が取り付けられている。回路押さえ板３０によって、回路基板２４が中枠２６に押さえられて保持されている。
【００２０】
図３は、ソーラーセルを示す斜視図である。ソーラーセル付電子時計は、ソーラーセル３２を有する。ソーラーセル３２は、ポリエチレンテレフタラートなどの樹脂からなるフィルム状のベース基板３４と、その上にアモルファスシリコン等の半導体材料を含むように形成された光発電領域３６と、を有する。ベース基板３４は、細長い帯状であり、可とう性を有する。ソーラーセル３２は、一方の面に光を受けて発電を行う光発電領域３６を有する。ソーラーセル３２は、他方の面（光発電領域３６の反対側）の長手方向の両端部に、それぞれ、光発電領域３６で発生する電力を取り出す端子としての電極３２ａを有する。
【００２１】
図２に示すように、ソーラーセル３２と回路基板２４の電極（図示せず）とは、接続バネ２８によって電気的に接続されており、ソーラーセル３２からの発電電力がムーブメント１８に供給されるようになっている。ソーラーセル３２の電極３２ａは、接続バネ２８との接点を持つ。接続バネ２８は、回路基板２４の電極（図示せず）との接点も持つ。ソーラーセル３２は、光発電領域３６が時計の中心と反対を向くように見返しリング３８に沿って組み込まれる。
【００２２】
見返しリング３８は、光透過性の樹脂により成型されている。見返しリング３８も中枠２６に保持されている。見返しリング３８は、文字板２０の外側で中枠２６に組み込まれる。見返しリング３８は、中枠２６、風防１２及び時計ケース１０で保持される。したがって、衝撃によるガタが非常にすくない構造になっている。相対的に、中枠２６は、見返しリング３８、時計ケース１０及び裏蓋１４で保持される。
【００２３】
見返しリング３８は、文字板２０を内側に収容する。見返しリング３８は、文字板２０の表面を囲むように立ち上がる上内側面４０を有する。見返しリング３８は、文字板２０の裏面を囲むように下がる下内側面４２を有する。見返しリング３８が文字板２０の下に延びるので、時計ケース１０の大型化を避けることができる。見返しリング３８は、上内側面４０とは反対側にあって法線Ｎ１が文字板２０の側で下がるように傾斜する上外側面４４を有する。見返しリング３８は、下内側面４２とは反対側にあって法線Ｎ２が文字板２０の側で上がるように傾斜する下外側面４６を有する。
【００２４】
見返しリング３８の上端部は、上内側面４０から上外側面４４の方向に下がる上端面４８を有する。見返しリング３８の上端部（上端面４８）と風防１２の周縁部が対向する。見返しリング３８の、風防１２に対向する領域は、風防１２から離間する非接触部５０を含む。見返しリング３８の上端面４８の上外側面４４側の縁部が非接触部５０である。見返しリング３８の一部が風防１２から離間するので、干渉縞が発生する領域が小さくなっている。
【００２５】
見返しリング３８の上端部と風防１２の周縁部は、点接触又は線接触している。見返しリング３８の、風防１２に対向する領域は、風防１２に接触する接触部５２を含む。見返しリング３８の上端面４８の上内側面４０側の縁部が接触部５２である。見返しリング３８の一部が風防１２に接触することで両者の間隔が一定に保たれるので、干渉縞が見え難いように調整することができる。変形例として、見返しリング３８の上端面４８を梨地にすることでも、同様の効果を達成することができる。
【００２６】
見返しリング３８にソーラーセル３２が保持されている。ソーラーセル３２は、それ自体がもとの状態に戻ろうとする復元力で、見返しリング３８の内側に保持される。ソーラーセル３２は、見返しリング３８の下内側面４２に対向して配置されている。したがって、ソーラーセル３２は、下内側面４２から出射する光を受光することができる。
【００２７】
ソーラーセル付電子時計は、フルミラー層５４を有する。フルミラー層５４は、見返しリング３８の内部に光を封じ込める。フルミラー層５４は、誘電体多層膜からなる。フルミラー層５４は、上外側面４４及び下外側面４６をそれぞれ覆う。本実施形態によれば、見返しリング３８に入った光をフルミラー層５４で反射させて、ソーラーセル３２に入射する光量を増やすことができる。
【００２８】
図４は、実施形態の変形例１に係るソーラーセル付き電子時計の断面図である。この例では、見返しリング１３８の上端部と風防１１２の周縁部の少なくとも一方は、凹部１５６を含む表面形状になっている。図４の例では、凹部１５６は、見返しリング１３８の上端面１４８に形成された溝である。凹部１５６の底面が、風防１１２から離間する非接触部１５０である。
【００２９】
図５は、実施形態の変形例２に係るソーラーセル付き電子時計の断面図である。この例では、見返しリング２３８の上端部は、風防２１２の方向に凸となっている。凸となった上端面２４８は、風防２１２に直交する直線（図示せず）を中心にして、風防２１２の方向に凸となるように描かれる弧Ａを回転させて得られる形状である。弧Ａは、風防２１２に直交する直線（図示せず）を含む平面に描かれる。また、弧Ａは、風防２１２に直交する直線（図示せず）と交わらない。
【００３０】
図６は、実施形態の変形例３に係るソーラーセル付き電子時計の正面図である。図７は、図６に示すソーラーセル付き電子時計のVII−VII線断面図である。図８は、図６に示すソーラーセル付き電子時計のVIII−VIII線断面図である。この例では、見返しリング３３８の上端部は、目盛リングを構成するように複数の凸部３５８を有する。つまり、複数の凸部３５８は、時字に一致するように配置されている。複数の凸部３５８のそれぞれが、風防３１２に接触する接触部３５２である。相対的に凸部３５８よりも低くなった凹部３５６の底面が、風防３１２から離間する非接触部３５０である。本変形例によれば、風防３１２に接触する接触部３５２と時字の位置が一致することで、接触部３５２と時字の一体感が向上するため、デザイン性を上げることができる。
【００３１】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３２】
１０  時計ケース、１２  風防、１４  裏蓋、１６  巻真、１８  ムーブメント、２０  文字板、２２  指針、２４  回路基板、２６  中枠、２８  接続バネ、３０  回路押さえ板、３２  ソーラーセル、３２ａ  電極、３４  ベース基板、３６  光発電領域、３８  見返しリング、４０  上内側面、４２  下内側面、４４  上外側面、４６  下外側面、４８  上端面、５０  非接触部、５２  接触部、５４  フルミラー層、１１２  風防、１３８  見返しリング、１４８  上端面、１５０  非接触部、１５６  凹部、２１２  風防、２３８  見返しリング、２４８  上端面、３１２  風防、３３８  見返しリング、３５０  非接触部、３５２  接触部、３５６  凹部、３５８  凸部。
【図１】
2015137971.tif 000003
【図２】
2015137971.tif 000004
【図３】
2015137971.tif 000005
【図４】
2015137971.tif 000006
【図５】
2015137971.tif 000007
【図６】
2015137971.tif 000008
【図７】
2015137971.tif 000009
【図８】
2015137971.tif 000010